(57)【要約】【課題】放射線の一般撮影室内のスペースを取らず、操作も簡単化すること。【解決手段】Ｘ線画像の撮影ワークフローに従ってＲＩＳ・ＰＣ５又は画像処理・ＰＣ７のいずれか一方をモニタ１２、マウス１３及びキーボード１４に切替接続するＰＣ切替器１１を設けた。【選択図】図１
2007082918.tif 000002
【特許請求の範囲】
【請求項１】
Ｘ線画像を収集し、これらＸ線画像を画像処理する第１のコンピュータからなる画像処理装置において、
前記Ｘ線画像の少なくとも前記収集、前記画像処理の操作指示を行う端末と、
前記Ｘ線画像の撮影ワークフローに従って外部機器の第２のコンピュータ又は前記第１のコンピュータのいずれか一方を前記端末に切替接続する切替部と、
を具備し、
前記端末は、前記第１のコンピュータと前記第２のコンピュータとで兼用されることを特徴とする画像処理装置。
【請求項２】
前記端末は、モニタ、マウス、キーボードを有することを特徴とする請求項１記載の画像処理装置。
【請求項３】
前記切替部は、前記撮影ワークフローに従って自動的に前記第１のコンピュータ又は前記第２のコンピュータのいずれか一方を前記端末に切り替えることを特徴とする請求項１記載の画像処理装置。
【請求項４】
前記切替部は、手動操作を受けて前記第１のコンピュータ又は前記第２のコンピュータのいずれか一方と前記端末との間を切り替えることを特徴とする請求項１記載の画像処理装置。
【請求項５】
前記切替部は、前記撮影ワークフローに従って前記Ｘ線画像の撮影を含む検査時間中に前記第１のコンピュータと前記端末とを接続し、前記検査時間外に前記第２のコンピュータと前記端末とを接続することを特徴とする請求項１記載の画像処理装置。
【請求項６】
前記外部機器は、少なくとも被検体の情報及び前記被検体の撮影条件の情報を管理し、前記Ｘ線画像の撮影のオーダを発する放射線部門情報管理システムを有することを特徴とする請求項１記載の画像処理装置。
【請求項７】
前記切替部は、前記放射線部門情報管理システムから発せられた前記オーダの受信時に前記第１のコンピュータと前記端末とを接続し、前記オーダされた前記Ｘ線画像の撮影の終了時に前記第２のコンピュータと前記端末とを接続することを特徴とする請求項６記載の画像処理装置。
【発明の詳細な説明】
【技術分野】
【０００１】
本発明は、例えば放射線の一般撮影室においてＸ線画像の撮影、収集、画像処理等を行うモニタ、キーボード、マウスを備えた画像処理装置に関する。
【背景技術】
【０００２】
放射線の一般撮影室には、患者等の被検体のＸ線画像を取得するためのＸ線撮影システムとして例えば消化器系診断用システムや循環器系診断用システム、Ｘ線ＣＴ、さらには被検体の画像を取得するためのＭＲＩ，ＤＡＳなどが設置されている。これらＸ線撮影システムやＭＲＩ，ＤＡＳ等は、それぞれ画像をデジタル化している。これにより、デジタル化された各Ｘ線撮影システムやＭＲＩ，ＤＡＳ等の各画像データは、それぞれ放射線部門情報管理システム（Ｒadiology Ｉnformation Ｓystem：ＲＩＳ）により一元管理されている。
【０００３】
このようなＲＩＳを構築した放射線の一般撮影室には、ＲＩＳから発せられる被検体及びその撮影条件情報等を有するオーダの受付等を行うＲＩＳ端末と、各Ｘ線撮影システムやＸ線ＣＴ等において被検体に対する検査として撮影のポジショニングや撮影動作を行うための画像処理装置端末とが設置されている。
【０００４】
このため、放射線の一般撮影室には、ＲＩＳ端末及び画像処理装置端末が複数並んで設けられている。これらＲＩＳ端末及び画像処理装置端末は、それぞれモニタ、キーボード、マウスを有する。従って、オペレータは、ＲＩＳ端末と画像処理装置端末との両方のモニタを見ながらキーボード又はマウスを操作してオーダの受付、患者の選択、撮影、撮影の実施結果の登録までを実施している。
【０００５】
このように放射線の一般撮影室には、複数のＲＩＳ端末及び画像処理装置端末が並んで設けられているために、これら端末によって一般撮影室内のスペースが取られてしまう。ＲＩＳ端末と画像処理装置端末との両方を操作しなければならないので、オペレータによって操作が複雑になる。
【発明の開示】
【発明が解決しようとする課題】
【０００６】
本発明の目的は、放射線の一般撮影室内のスペースを取らず、操作も簡単化できる画像処理装置を提供することにある。
【課題を解決するための手段】
【０００７】
本発明の主要な局面に係るＸ線画像を収集し、これらＸ線画像を画像処理する第１のコンピュータからなる画像処理装置は、Ｘ線画像の少なくとも収集、画像処理の操作指示を行う端末と、Ｘ線画像の撮影ワークフローに従って外部機器の第２のコンピュータ又は第１のコンピュータのいずれか一方を端末に切替接続する切替部とを具備し、端末は、第１のコンピュータと第２のコンピュータとで兼用される。
【発明の効果】
【０００８】
本発明によれば、放射線の一般撮影室内のスペースを取らず、操作も簡単化できる画像処理装置を提供できる。
【発明を実施するための最良の形態】
【０００９】
以下、本発明の一実施の形態について図面を参照して説明する。  
図１は画像処理装置を有する放射線部門システムの全体構成図を示す。放射線部門システムは、病院情報システム（Ｈospital Ｉnformation Ｓystem：ＨＩＳ）１と、ＲＩＳ２と、画像処理装置３とを有する。これらＨＩＳ１とＲＩＳ２と画像処理装置３とは、病院内のネットワークを介して接続されている。
【００１０】
ＨＩＳ１は、患者等の被検体に対する検査やＸ線画像の撮影などのオーダリングを行い、当該オーダ及び被検体の年齢や撮像部位を有する撮影条件等の属性情報をＲＩＳ２に送信する。このＨＩＳ１は、ＲＩＳ２から送信された被検体に対する検査実績の情報や当該検査の会計の情報を受信し、これら検査実績情報や会計情報を管理する。
【００１１】
ＲＩＳ２は、サーバ４とパーソナルコンピュータ（以下、ＲＩＳ・ＰＣと称する）５とを有し、ＲＩＳ・ＰＣ５の処理動作によって、ＨＩＳ１から送信されたオーダ及び属性情報を受信し、被検体の属性情報と撮影条件情報とを有する検査オーダＡを画像処理装置３に送信し、かつ画像処理装置３から送信される撮影の実績情報を受信し、この撮影実績情報に基づく検査実績情報や会計情報をＨＩＳ１に送信する。このときサーバ４には、ＨＩＳ１からのオーダ及び属性情報及び画像処理装置３からの撮影実績情報が保管される。
【００１２】
画像処理装置３は、Ｘ線撮影システム６により撮影されたＸ線画像データを収集し、このＸ線画像データに対するデジタル画像処理を行う。この画像処理装置３は、パーソナルコンピュータ（以下、画像処理・ＰＣと称する）７を搭載し、この画像処理・ＰＣ７に制御部８を介してＸ線撮影システム６が接続されている。このＸ線撮影システム６は、例えば消化器系診断用システム又は循環器系診断用システムである。このＸ線撮影システム６は、例えばＸ線発生器及びＸ線検出器９を有する。又、画像処理装置３には、画像管理システム１０が接続されている。
【００１３】
画像処理・ＰＣ７は、検査オーダＡを受けると、この検査オーダＡに従って制御部８に検査指令を発する。この制御部８は、Ｘ線撮影システム６の全体を制御するもので、例えばＸ線発生器からＸ線を発生させ、被検体を透過したＸ線をＸ線検出器９により検出させ、このＸ線検出器９から出力される検出信号を画像処理・ＰＣ７に送る。これにより、画像処理・ＰＣ７は、Ｘ線検出器９から出力される検出信号を入力し、被検体のＸ線画像データを取得すると共に、Ｘ線画像データに対するデジタル画像処理を実行し、画像管理システム１０に送信する。この画像管理システム１０は、Ｘ線撮影システム６により撮影された各画像データを管理する。
【００１４】
画像処理・ＰＣ７には、ＰＣ切替器１１が接続されている。このＰＣ切替器１１には、端末としてのモニタ１２とマウス１３とキーボード１４とが接続されている。このＰＣ切替器１１は、検査オーダＡにより指示されたＸ線画像の撮影ワークフローに従って自動的にＲＩＳ・ＰＣ５又は画像処理・ＰＣ７のいずれか一方を端末としてのモニタ１２とマウス１３とキーボード１４とに切替接続する。これにより、モニタ１２とマウス１３とキーボード１４とは、ＲＩＳ・ＰＣ５と画像処理・ＰＣ７との兼用となる。すなわち、画像処理・ＰＣ７は、ＲＩＳ・ＰＣ５から送信された検査オーダＡを受信すると、この受信時に切替信号ＢをＰＣ切替器１１に発する。これにより、ＰＣ切替器１１は、切替信号Ｂの入力時に、画像処理・ＰＣ７とモニタ１２、マウス１３及びキーボード１４との接続に自動的に切り替える。
【００１５】
又、画像処理・ＰＣ７は、検査が終了すると、この検査終了時に切替信号ＢをＰＣ切替器１１に発する。これにより、ＰＣ切替器１１は、切替信号Ｂの入力時に、ＲＩＳ・ＰＣ５とモニタ１２、マウス１３及びキーボード１４との接続に自動的に切り替える。ここで、検査終了は、図２に示すようにモニタ１２の表示画面１２ａ上に表示される終了タッチボタン１５、又はキーボード１４上に設けられた終了キー１６の操作を画像処理・ＰＣ７が検出することにより判断される。画像処理・ＰＣ７は、検査終了時に切替信号ＢをＰＣ切替器１１に発すると共に、ＲＩＳ・ＰＣ５に検査終了信号Ｃを発する。
ＰＣ切替器１１は、手動操作を受けてＲＩＳ・ＰＣ５又は画像処理・ＰＣ７のいずれか一方をモニタ１２、マウス１３、キーボード１４に切替接続する手動切替機構を有する。
次に、上記の如く構成された装置によるＰＣの切替動作について図３に示すＸ線画像の撮影ワークフローに従って説明する。  
ＨＩＳ１は、患者等の被検体に対する検査やＸ線画像の撮影などのオーダリングを行い、当該オーダ及び被検体の年齢や撮像部位を有する撮影条件等の属性情報をＲＩＳ２に送信する。  
ＲＩＳ２は、ＲＩＳ・ＰＣ５の処理動作によって、ＨＩＳ１から送信されたオーダ及び属性情報を受信してサーバ４に保管され、被検体の属性情報と撮影条件情報とを有する検査オーダＡとして画像処理・ＰＣ７に送信する。
【００１６】
このときＰＣ切替器１１は、ＲＩＳ・ＰＣ５とモニタ１２、マウス１３及びキーボード１４とを接続している。これにより、ＲＩＳ・ＰＣ５は、モニタ１２の表示画面１２ａ上にＲＩＳ画面を表示し、マウス１３及びキーボード１４に対するオペレータによるＲＩＳ操作を受けて当該ＲＩＳ処理を実行している。すなわち、ＲＩＳ２側の操作環境にある。
【００１７】
この状態で、ＲＩＳ２から送信された検査オーダＡを画像処理・ＰＣ７が受信すると、画像処理・ＰＣ７は、検査オーダＡを受信時に切替信号ＢをＰＣ切替器１１に発する。このＰＣ切替器１１は、切替信号Ｂの入力時に、モニタ１２、マウス１３及びキーボード１４に対する接続をＲＩＳ・ＰＣ５から画像処理・ＰＣ７に自動的に切り替える。これにより、画像処理装置３は、モニタ１２、マウス１３及びキーボード１４に対するオペレータによる各操作を受けて画像処理を行う操作環境になる。
【００１８】
このように画像処理装置３側の操作環境に切り替えられると、被検体に対する検査が開始される。画像処理・ＰＣ７は、モニタ１２の表示画面１２ａ上に画像処理用の画面を表示し、マウス１３及びキーボード１４からの画像処理操作を受けて当該画像処理を実行する。例えば、画像処理・ＰＣ７は、Ｘ線撮影システム６による被検体に対する撮影部位へのポジショニングの指示や撮影条件の指示、撮影指示等を発する。これら指示は、被検体に対する撮影部位を変更する毎に発せられる。これにより、Ｘ線撮影システム６は、Ｘ線発生器からＸ線を発生し、被検体を透過したＸ線をＸ線検出器９により検出する。
【００１９】
画像処理・ＰＣ７は、Ｘ線検出器９から出力される検出信号を入力し、被検体のＸ線画像データを取得すると共に、Ｘ線画像データに対するデジタル画像処理を実行する。又、画像処理・ＰＣ７は、取得したＸ線画像データをＰＣ切替器１１を通してモニタ１２に表示する。オペレータは、モニタ１２に表示されたＸ線画像を観察し、例えば撮影条件やＸ線条件の変更をマウス１３又はキーボート１４を操作して行う。  
このように被検体の撮影部位や撮影条件、Ｘ線条件を変更して取得された各Ｘ線画像データは、例えばオペレータによるマウス１３又はキーボート１４への操作により登録される。すなわち、画像処理・ＰＣ７は、各Ｘ線画像データを画像管理システム１０に送信する。この画像管理システム１０は、Ｘ線撮影システム６により撮影された各画像データを登録管理する。
【００２０】
被検体に対する検査が終了すると、オペレータは、図２に示すモニタ１２の表示画面１２ａ上に表示されている終了タッチボタン１５、又はキーボード１４上に設けられた終了キー１６を操作する。画像処理・ＰＣ７は、終了タッチボタン１５又は終了キー１６の操作を検出すると、検査終了であることを判断し、検査終了時に切替信号ＢをＰＣ切替器１１に発すると共に、ＲＩＳ・ＰＣ５に検査終了信号Ｃを発する。  
ＰＣ切替器１１は、切替信号Ｂの入力時に、モニタ１２、マウス１３及びキーボード１４に対する接続を画像処理・ＰＣ７からＲＩＳ・ＰＣ５に自動的に切り替える。これにより、ＲＩＳ・ＰＣ５は、モニタ１２、マウス１３及びキーボード１４に対するオペレータによる各操作を受けてＲＩＳ２側の操作環境になる。
【００２１】
一方、ＰＣ切替器１１は、手動操作によってＲＩＳ・ＰＣ５又は画像処理・ＰＣ７のいずれか一方にモニタ１２、マウス１３及びキーボード１４を切替接続することが可能である。すなわち、ＲＩＳ２側の操作環境にある状態に、ＲＩＳ２から検査オーダＡが画像処理・ＰＣ７に送信されると、画像処理・ＰＣ７は、例えば検査オーダＡをモニタ１２に表示する。オペレータは、モニタ１２に検査オーダＡが表示されたことを確認すると、ＰＣ切替器１１を手動操作し、モニタ１２、マウス１３及びキーボード１４に対する接続をＲＩＳ・ＰＣ５から画像処理・ＰＣ７に切り替える。これにより、画像処理を行う操作環境になる。  
被検体に対する検査が終了すると、オペレータは、ＰＣ切替器１１を手動操作し、モニタ１２、マウス１３及びキーボード１４に対する接続を画像処理・ＰＣ７からＲＩＳ・ＰＣ５に切り替える。これにより、ＲＩＳ２側の操作環境になる。
【００２２】
このように上記一実施の形態によれば、Ｘ線画像の撮影ワークフローに従ってＲＩＳ・ＰＣ５又は画像処理・ＰＣ７のいずれか一方をモニタ１２、マウス１３及びキーボード１４に切替接続するＰＣ切替器１１を設けたので、これらモニタ１２、マウス１３及びキーボード１４をＲＩＳ・ＰＣ５と画像処理・ＰＣ７とで兼用できる。これにより、放射線の一般撮影室では、ＲＩＳ・ＰＣ５と画像処理・ＰＣ７との各端末であるモニタ１２、マウス１３及びキーボード１４を並設することがなくなり、省スペース化を実現できる。
【００２３】
Ｘ線画像の撮影ワークフロー、すなわち検査オーダＡが入力されて被検体に対する検査時間中に画像処理・ＰＣ７にモニタ１２、マウス１３及びキーボード１４が接続されて画像処理を行う操作環境になり、検査が終了すると、ＲＩＳ・ＰＣ５にモニタ１２、マウス１３及びキーボード１４が接続されてＲＩＳ２側の操作環境になるので、オペレータは、モニタ１２に表示されるＸ線画像の撮影ワークフローに従って切り替わるＲＩＳ画面、画像処理用の画面に従ってマウス１３及びキーボード１４を操作すればよく、操作ミスが少なくなり、作業の効率も向上する。
なお、本発明は、上記一実施の形態に限定されるものではなく、次のように変形してもよい。  
上記一実施の形態では、Ｘ線撮影システム６の撮影ワークフローに従って説明したが、これに限らず、ＲＩＳでは、Ｘ線ＣＴ、ＭＲＩ，ＤＡＳなどの医療機器も設置されており、これら医療機器により取得される各画像もデジタル化して一元管理されている。従って、Ｘ線ＣＴ、ＭＲＩ，ＤＡＳなどの医療機器においても、各画像の撮影ワークフローに従ってＲＩＳ・ＰＣ又は各医療機器・ＰＣのいずれか一方をモニタ、マウス及びキーボードに切替接続するＰＣ切替器を設けることが可能である。
【図面の簡単な説明】
【００２４】
【図１】本発明に係る画像処理装置の一実施の形態を有する放射線部門システムの全体構成図。
【図２】同装置における終了タッチボタン及び終了キーを示す図。
【図３】同装置におけるＸ線画像の撮影ワークフロー。
【符号の説明】
【００２５】
１：病院情報システム（ＨＩＳ）、２：放射線部門情報管理システム（ＲＩＳ）、３：画像処理装置、４：サーバ、５：パーソナルコンピュータ、６：Ｘ線撮影システム、７：パーソナルコンピュータ、８：制御部、９：Ｘ線検出器、１０：画像管理システム、１１：ＰＣ切替器、１２：モニタ、１２ａ：モニタの表示画面、１３：マウス、１４：キーボード、１５：終了タッチボタン、１６：終了キー。
【図１】
2007082918.tif 000003
【図２】
2007082918.tif 000004
【図３】
2007082918.tif 000005